【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
無線端末と基地局との無線通信に使用されるチャネルを、同一基地局の他のチャネルに切り替えるチャネル切替、及び、他の基地局のチャネルに切り替えるハンドオーバを制御するための無線チャネル制御方法であって、
基地局の制御装置は、所定時間又は所定フレーム数毎に、無線端末から受信した無線信号の受信レベルと、フレームに発生する誤りに基づくフレームエラーレートとを求めるステップと、
制御装置は、求められたフレームエラーレートと予め定められた第１のレート閾値、及び、求められたフレームエラーレートと予め定められた第１のレート閾値より大きい第２のレート閾値、をそれぞれ比較し、フレームエラーレートが第１のレート閾値未満、第１のレート閾値以上第２のレート閾値未満、又は、第２のレート閾値以上のいずれであるか判断するステップと、
制御装置は、求められた受信レベルと予め定められたレベル閾値とを比較し、受信レベルがレベル閾値未満か、又は、レベル閾値以上か判断するステップと、
制御装置は、フレームエラーレートが第１のレート閾値以上第２のレート閾値未満であり、且つ、受信レベルがレベル閾値未満及びレベル閾値以上のそれぞれに対応する第１及び第２のカウンタと、フレームエラーレートが第２のレート閾値以上であり、且つ、受信レベルがレベル閾値未満及びレベル閾値以上のそれぞれに対応する第３及び第４のカウンタとの内、判断結果に応じて所定のカウンタをカウントアップ若しくはダウン、又は、リセットするステップと、
制御装置は、各カウンタの値と、それぞれに対応する第１乃至第４の連続回数閾値とを比較するステップと、
制御装置は、第１乃至第４のカウンタのいずれかの値が、対応する第１乃至第４の連続回数閾値以上である場合に、チャネル切替又はハンドオーバを実行するステップと
を含み、
前記第３の連続回数閾値は、比較的短時間であってもチャネル切替えを行い通信品質を確保させるように設定され、
前記第１及び第４の連続回数閾値は、前記第３の連続回数閾値に対応する時間より比較的長い時間それらの状態が継続した場合に、チャネル切替えを行い通信品質を確保させるように設定され、
前記第２の連続回数閾値は、前記第１、第３及び第４の連続回数閾値に対応するいずれの時間よりさらに長く継続した場合にチャネル切替えを行うように設定された前記無線チャネル制御方法。
【請求項２】
前記レベル閾値は、
所定の基地局で測定された受信レベルとフレームエラーレートとの関係を参照して、各受信レベルに対応するフレームエラーレートの中央値を求め、該中央値が０である受信レベルのうち最小の受信レベルが前記レベル閾値として設定されている請求項１に記載の無線チャネル制御方法。
【請求項３】
前記第１及び前記第２のレート閾値は、
所定の基地局で測定された受信レベルとフレームエラーレートとの関係を参照して、各受信レベルに対応するフレームエラーレートの最大値に基づき近似曲線又は近似式を作成し、作成された近似曲線又は近似式に基づき、予め定められたレベル閾値に対するフレームエラーレートを求め、そのフレームエラーレートの値又はその前後所定範囲内の値が、前記第１のレート閾値及び／又は第２のレート閾値として設定されている請求項２に記載の無線チャネル制御方法。
【請求項４】
前記第１及び前記第２の連続回数閾値は、
第１の連続回数閾値は第３の連続回数閾値より大きく、第２の連続回数閾値は第４の連続回数閾値より大きく、且つ、第１の連続回数閾値は第２の連続回数閾値より小さいことを条件として所定の刻み幅で順次変化させて、所定の基地局におけるチャネル切替及びハンドオーバの切替回数を測定し、切替回数の合計が最小又は所望の範囲内となる値が前記第１及び第２の連続回数閾値としてそれぞれ設定されている請求項１に記載の無線チャネル制御方法。
【請求項５】
前記第３及び前記第４の連続回数閾値は、
第３の連続回数閾値は第４の連続回数閾値より小さいことを条件として、それぞれ所定の刻み幅で順次変化させて、所定の基地局におけるチャネル切替及びハンドオーバの切替回数の合計が最小又は所望の範囲内となる値が前記第３及び第４の連続回数閾値としてそれぞれ設定されている請求項４に記載の無線チャネル制御方法。
【請求項６】
前記レベル閾値は、所定の基地局で測定された受信レベルとフレームエラーレートとの関係を参照して、各受信レベルに対応する複数のフレームエラーレートの中央値を求め、該中央値が０である受信レベルのうち最小の受信レベル閾値を上限として、所定の刻み幅で順次減少させ、
前記第１及び第２のレート閾値は、所定の基地局で測定された受信レベルとフレームエラーレートとの関係を参照して、各受信レベルに対応するフレームエラーレートの最大値に基づき近似曲線又は近似式を作成し、作成された近似曲線又は近似式に基づき、レベル閾値に対するフレームエラーレートを求め、そのフレームエラーレートの値又はその前後所定範囲内の値を上限として、所定の刻み幅で順次変化させ、
前記第１及び第２の連続回数閾値は、第１の連続回数閾値は第３の連続回数閾値より大きく、第２の連続回数閾値は第４の連続回数閾値より大きく、且つ、第１の連続回数閾値は第２の連続回数閾値より小さいことを条件として所定の刻み幅で順次変化させ、
それぞれの閾値の組み合わせについて、所定の基地局におけるチャネル切替及びハンドオーバの切替回数を測定し、切替回数の合計が最小又は所望の範囲内となる時の値が各閾値としてそれぞれ設定されている請求項１に記載の無線チャネル制御方法。
【請求項７】
前記レベル閾値は、２５ｄＢμＶ程度であり、及び、
前記第１及び第２のレート閾値は、それぞれ３０％及び５０％程度あり、及び、
前記第１、第２、第３及び第４の連続回数閾値は、それぞれ１９回、３９回、４回及び１９回程度である、又は、それぞれ約３秒、５秒、１．５秒及び３秒に応じた回数である請求項１に記載の無線チャネル制御方法。
【請求項８】
前記カウントアップ若しくはダウン、又は、リセットするステップは、
制御装置は、フレームエラーレートが第１のレート閾値以上第２のレート閾値未満の場合に、第２のカウンタを１加算し、さらに、受信レベルがレベル閾値より小さい場合に、第１のカウンタを１加算するステップと、
制御装置は、フレームエラーレートが第２のレート閾値以上の場合に、第４のカウンタ及び／又は第２のカウンタを１加算し、さらに、受信レベルがレベル閾値より小さい場合に、第３のカウンタ及び／又は第１のカウンタを１加算するステップと
を含む請求項１に記載の無線チャネル制御方法。
【請求項９】
前記カウントアップ若しくはダウン、又は、リセットするステップは、
制御装置は、フレームエラーレートが第１のレート閾値以上第２のレート閾値未満の場合に、第３及び第４のカウンタをリセットし、さらに、受信レベルがレベル閾値より小さくない場合に、第１のカウンタをリセットするステップと、
制御装置は、フレームエラーレートが第２のレート閾値以上であり、且つ、受信レベルがレベル閾値より小さくない場合に、第１のカウンタ及び／又は第３のカウンタをリセットするステップ
をさらに含む請求項１に記載の無線チャネル制御方法。
【請求項１０】
前記無線通信は、パーソナルハンディホンシステムにおける無線通信である請求項１に記載の無線チャネル制御方法。
【請求項１１】
制御装置は、フレームエラーレートが第１の閾値未満であり、且つ、受信レベルがレベル閾値未満に対応する第５のカウンタを、判断結果に応じてカウントアップ若しくはダウン、又は、リセットするステップと、
制御装置は、前記第５のカウンタの値と、対応する第５の連続回数閾値とを比較するステップと、
制御装置は、第５のカウンタが、対応する第５の連続回数閾値以上である場合に、チャネル切替又はハンドオーバを実行するステップと
をさらに含む請求項１に記載の無線チャネル制御方法。
【請求項１２】
無線端末と無線で情報を送受信するためのアンテナと、
前記アンテナを介して無線端末から受信した無線信号の受信レベルを測定する受信レベル測定部と、
フレームに発生する誤りを監視し、フレームエラーレートを求めるためのフレームエラー監視部と、
所定の閾値が予め記憶されるメモリを有し、無線端末との無線通信に使用されるチャネルを、同一基地局の他のチャネルに切り替えるチャネル切替、及び、他の基地局のチャネルに切り替えるハンドオーバを制御する制御装置と
を備え、
前記制御装置は、
所定時間又は所定フレーム数毎に、前記受信レベル測定部及び前記フレームエラー監視部の出力に基づき、受信レベルとフレームエラーレートとを得る手段と、
求められたフレームエラーレートと予め定められた第１のレート閾値、及び、求められたフレームエラーレートと予め定められた第１のレート閾値より大きい第２のレート閾値、をそれぞれ比較し、フレームエラーレートが第１のレート閾値未満、第１のレート閾値以上第２のレート閾値未満、又は、第２のレート閾値以上のいずれであるか判断する手段と、
求められた受信レベルと予め定められたレベル閾値とを比較し、受信レベルがレベル閾値未満か、又は、レベル閾値以上か判断する手段と、
フレームエラーレートが第１のレート閾値以上第２のレート閾値未満であり、且つ、受信レベルがレベル閾値未満及びレベル閾値以上のそれぞれに対応する第１及び第２のカウンタと、フレームエラーレートが第２のレート閾値以上であり、且つ、受信レベルがレベル閾値未満及びレベル閾値以上のそれぞれに対応する第３及び第４のカウンタとの内、判断結果に応じて所定のカウンタをカウントアップ若しくはダウン、又は、リセットする手段と、
各カウンタの値と、それぞれに対応する第１乃至第４の連続回数閾値とを比較する手段と、
第１乃至第４のカウンタのいずれかの値が、対応する第１乃至第４の連続回数閾値以上である場合に、チャネル切替又はハンドオーバを実行する手段と、
を含み、
前記第３の連続回数閾値は、比較的短時間であってもチャネル切替えを行い通信品質を確保させるように設定され、
前記第１及び第４の連続回数閾値は、前記第３の連続回数閾値に対応する時間より比較的長い時間それらの状態が継続した場合に、チャネル切替えを行い通信品質を確保させるように設定され、
前記第２の連続回数閾値は、前記第１、第３及び第４の連続回数閾値に対応するいずれの時間よりさらに長く継続した場合にチャネル切替えを行うように設定された無線通信システム。
【手続補正２】
【補正対象書類名】明細書
【補正対象項目名】００１０
【補正方法】変更
【補正の内容】
【００１０】
本発明の第１の解決手段によると、
無線端末と基地局との無線通信に使用されるチャネルを、同一基地局の他のチャネルに切り替えるチャネル切替、及び、他の基地局のチャネルに切り替えるハンドオーバを制御するための無線チャネル制御方法であって、
基地局の制御装置は、所定時間又は所定フレーム数毎に、無線端末から受信した無線信号の受信レベルと、フレームに発生する誤りに基づくフレームエラーレートとを求めるステップと、
制御装置は、求められたフレームエラーレートと予め定められた第１のレート閾値、及び、求められたフレームエラーレートと予め定められた第１のレート閾値より大きい第２のレート閾値、をそれぞれ比較し、フレームエラーレートが第１のレート閾値未満、第１のレート閾値以上第２のレート閾値未満、又は、第２のレート閾値以上のいずれであるか判断するステップと、
制御装置は、求められた受信レベルと予め定められたレベル閾値とを比較し、受信レベルがレベル閾値未満か、又は、レベル閾値以上か判断するステップと、
制御装置は、フレームエラーレートが第１のレート閾値以上第２のレート閾値未満であり、且つ、受信レベルがレベル閾値未満及びレベル閾値以上のそれぞれに対応する第１及び第２のカウンタと、フレームエラーレートが第２のレート閾値以上であり、且つ、受信レベルがレベル閾値未満及びレベル閾値以上のそれぞれに対応する第３及び第４のカウンタとの内、判断結果に応じて所定のカウンタをカウントアップ若しくはダウン、又は、リセットするステップと、
制御装置は、各カウンタの値と、それぞれに対応する第１乃至第４の連続回数閾値とを比較するステップと、
制御装置は、第１乃至第４のカウンタのいずれかの値が、対応する第１乃至第４の連続回数閾値以上である場合に、チャネル切替又はハンドオーバを実行するステップと
を含み、
前記第３の連続回数閾値は、比較的短時間であってもチャネル切替えを行い通信品質を確保させるように設定され、
前記第１及び第４の連続回数閾値は、前記第３の連続回数閾値に対応する時間より比較的長い時間それらの状態が継続した場合に、チャネル切替えを行い通信品質を確保させるように設定され、
前記第２の連続回数閾値は、前記第１、第３及び第４の連続回数閾値に対応するいずれの時間よりさらに長く継続した場合にチャネル切替えを行うように設定された前記無線チャネル制御方法が提供される。
【手続補正３】
【補正対象書類名】明細書
【補正対象項目名】００１１
【補正方法】変更
【補正の内容】
【００１１】
本発明の第２の解決手段によると、
無線端末と無線で情報を送受信するためのアンテナと、
前記アンテナを介して無線端末から受信した無線信号の受信レベルを測定する受信レベル測定部と、
フレームに発生する誤りを監視し、フレームエラーレートを求めるためのフレームエラー監視部と、
所定の閾値が予め記憶されるメモリを有し、無線端末との無線通信に使用されるチャネルを、同一基地局の他のチャネルに切り替えるチャネル切替、及び、他の基地局のチャネルに切り替えるハンドオーバを制御する制御装置と
を備え、
前記制御装置は、
所定時間又は所定フレーム数毎に、前記受信レベル測定部及び前記フレームエラー監視部の出力に基づき、受信レベルとフレームエラーレートとを得る手段と、
求められたフレームエラーレートと予め定められた第１のレート閾値、及び、求められたフレームエラーレートと予め定められた第１のレート閾値より大きい第２のレート閾値、をそれぞれ比較し、フレームエラーレートが第１のレート閾値未満、第１のレート閾値以上第２のレート閾値未満、又は、第２のレート閾値以上のいずれであるか判断する手段と、
求められた受信レベルと予め定められたレベル閾値とを比較し、受信レベルがレベル閾値未満か、又は、レベル閾値以上か判断する手段と、
フレームエラーレートが第１のレート閾値以上第２のレート閾値未満であり、且つ、受信レベルがレベル閾値未満及びレベル閾値以上のそれぞれに対応する第１及び第２のカウンタと、フレームエラーレートが第２のレート閾値以上であり、且つ、受信レベルがレベル閾値未満及びレベル閾値以上のそれぞれに対応する第３及び第４のカウンタとの内、判断結果に応じて所定のカウンタをカウントアップ若しくはダウン、又は、リセットする手段と、
各カウンタの値と、それぞれに対応する第１乃至第４の連続回数閾値とを比較する手段と、
第１乃至第４のカウンタのいずれかの値が、対応する第１乃至第４の連続回数閾値以上である場合に、チャネル切替又はハンドオーバを実行する手段と、
を含み、
前記第３の連続回数閾値は、比較的短時間であってもチャネル切替えを行い通信品質を確保させるように設定され、
前記第１及び第４の連続回数閾値は、前記第１の連続回数閾値に対応する時間より比較的長い時間それらの状態が継続した場合に、チャネル切替えを行い通信品質を確保させるように設定され、
前記第２の連続回数閾値は、前記第１、第３及び第４の連続回数閾値に対応するいずれの時間よりさらに長く継続した場合にチャネル切替えを行うように設定された無線通信システムが提供される。
【手続補正４】
【補正対象書類名】明細書
【補正対象項目名】００３９
【補正方法】変更
【補正の内容】
【００３９】
上述の実施の形態では、別途説明するように、ＲＣＲ  ＳＴＤ−２８で規定され、周波数帯が１．８９〜１．９２ＧＨｚで４チャネル（スロット）が多重された長さ５ｍＳｅｃ．のフレームを繰り返し送受信するＰＨＳを前提とした無線通信システムにおいて、適切な状態６個（図１０：４０００〜４０５０）と各閾値を備えてチャネル切替え制御を行う例を説明した。ＰＨＳで上述の実施の形態で示した制御より細かい制御や逆にラフな制御で良い場合や、他の無線通信システムであっても、該システムの設置環境や使用状況や使用者の要求に応じて、ＦＥＲのレート閾値やＬのレベル閾値の数や値、及び、カウンタの数や各カウンタの連続回数閾値を変えれば、本実施の形態に係るチャネル切替え制御が適用できるものである。
【手続補正５】
【補正対象書類名】明細書
【補正対象項目名】００５１
【補正方法】変更
【補正の内容】
【００５１】
例えば、図１３では、レベル閾値Ｌ０の２５ｄＢμＶに対して、点線で表されたＦＥＲの最大値の近似値曲線を参照し、ＦＥＲとして５０％弱の値を得る。従って、第２のレート閾値Ｆ２を５０［％］とすることができる。また、第１のレート閾値Ｆ１として４０［％］などとすることもできるが、本実施の形態では、従来の基地局で設定されている３０［％］を使用している。
【手続補正６】
【補正対象書類名】明細書
【補正対象項目名】００５６
【補正方法】変更
【補正の内容】
【００５６】
一方、Ｌ０はこれとは別に、取得データから決定したレベル閾値を設定可能な最大値と仮定し、そこからレベル閾値を下に区切り、順次変化させる。例えば、上述のように取得データから決定された２５ｄＢを出発点として、２０ｄＢ、１５ｄＢと下げていき、各レベル閾値についてａ０、ｂ０を変化させていくことができる。なお、区切り幅は適宜の幅とすることができる。また、取得データから決定された２５ｄＢは試験を行わず、２０ｄＢから試験を初めてもよい。
【手続補正７】
【補正対象書類名】明細書
【補正対象項目名】００５９
【補正方法】変更
【補正の内容】
【００５９】
また、各閾値を変化させたときのＴｃｈ切替回数を測定し、最小切替値になるように各閾値を設定することもできる。なお、縦軸を測定した切替回数、横軸をａ０、ｂ０、ｃ０、ｄ０としてグラフに表すと図１４と同様のグラフが得られる。また、横軸を、Ｆ２、ａ０、ｂ０、Ｆ１を示しても、図１４のような合計切替回数に最小値を有する結果になる。